(57)【要約】【課題】イカにフッキングしやすく、かつイカからフックがはずれにくいエギの提供。【解決手段】エギの傘針は、第一フック１８ａと８第二フック１８ｂとを備えている。第一フック１８ａは細い。第二フック１８ｂは、第一フック１８ａよりも太い。第一フック１８ａは、第二フック１８ｂよりも鋭利である。第二フック１８ｂは、第一フック１８ａよりも強度に優れる。第二フック１８ｂは、曲がりにくく、かつ折れにくい。第一フック１８ａの先端２０ａは軸１２から遠く、第二フック１８ｂの先端２０ｂは軸１２に近い。第一フック１８ａはイカの触腕又は腕に容易に突き刺さる。第一フック１８ａが突き刺さった後、イカは触腕及び腕を動かす。この動作により、第二フック１８ｂも触腕又は腕に突き刺さる。第一フック１８ａはフッキング率に寄与し、第二フック８ｂはバラシの抑制に寄与する。【選択図】図３
2008113589.tif 000002
【特許請求の範囲】
【請求項１】
ベイトに疑似する形状を備えたボディと、このボディに取り付けられた軸と、この軸から延びる傘針とを備えており、
この傘針が、細い第一フックと太い第二フックとを備えた疑似餌。
【請求項２】
ベイトに疑似する形状を備えたボディと、このボディに取り付けられた軸と、この軸から延びる傘針とを備えており、
この傘針が、その先端が軸から遠い第一フックと、その先端が軸に近い第二フックとを備えた疑似餌。
【請求項３】
ベイトに疑似する形状を備えたボディと、このボディに取り付けられた軸と、この軸から延びる傘針とを備えており、
この傘針が、その先端が前側に位置する第一フックと、その先端が後側に位置する第二フックとを備えた疑似餌。
【発明の詳細な説明】
【技術分野】
【０００１】
本発明は、イカ釣り等に用いられる疑似餌に関する。詳細には、本発明は、疑似餌の傘針の改良に関する。
【背景技術】
【０００２】
イカは、小魚、エビ等のベイトを捕食する。イカは、２本の触腕と８本の腕とを持つ。捕食のとき、イカはまず触腕を伸ばしてベイトを捕らえる。さらにイカは、触腕及び腕でベイトを抱き込み、これを食する。
【０００３】
近年、エギングと称されるイカ釣りが盛んに行われている。このイカ釣りには、疑似餌であるエギが用いられる。エギは、ボディと、アイと、傘針とを備えている。傘針は、多数のフックからなる。アイに結ばれたラインが引かれることで、エギは水中を泳ぐ。このエギをベイトと勘違いしたイカは、エギに触腕を伸ばし、さらにこのエギを抱き込む。触腕又は腕にフックが突き刺さり、イカが釣り上げられる。傘針を備えたエギが、特開２００４−８９１２０公報に開示されている。
【特許文献１】特開２００４−８９１２０公報
【発明の開示】
【発明が解決しようとする課題】
【０００４】
イカが触腕でエギのボディをつかんでも、この触腕及び腕にフックが突き刺さらないことがある。この場合、釣り人がイカの重みを感じてラインを引くと、フッキングすることなく、イカからエギが離れてしまう。この場合、釣り人はイカを釣り上げることができない。
【０００５】
イカへのフッキングが達成されても、フックの突き刺さりの程度が小さいと、ラインが引かれることで触腕又は腕がフックからはずれることがある。フックがはずれた場合も、釣り人はイカを釣り上げることができない。この現象は、釣り人によって「バラシ」と称されている。
【０００６】
本発明の目的は、フッキングしやすく、かつフックがはずれにくい疑似餌の提供にある。
【課題を解決するための手段】
【０００７】
本発明に係る疑似餌は、
（１）ベイトに疑似する形状を備えたボディ、
（２）このボディに取り付けられた軸
及び
（３）この軸から延びる傘針
を備える。この傘針は、細い第一フックと太い第二フックとを備える。
【０００８】
本発明に係る他の疑似餌は、
（１）ベイトに疑似する形状を備えたボディ、
（２）このボディに取り付けられた軸
及び
（３）この軸から延びる傘針
を備える。この傘針は、その先端が軸から遠い第一フックと、その先端が軸に近い第二フックとを備える。
【０００９】
本発明に係るさらに他の疑似餌は、
（１）ベイトに疑似する形状を備えたボディ、
（２）このボディに取り付けられた軸
及びこの軸から延びる傘針
を備える。この傘針は、その先端が前側に位置する第一フックと、その先端が後側に位置する第二フックとを備える。
【発明の効果】
【００１０】
本発明に係る疑似餌では、第一フックがフッキング率に寄与する。さらにこの疑似餌では、第二フックがバラシを抑制する。この疑似餌が用いられることで、高い確率でイカ等が釣り上げられる。
【発明を実施するための最良の形態】
【００１１】
以下、適宜図面が参照されつつ、好ましい実施形態に基づいて本発明が詳細に説明される。
【００１２】
図１は、本発明の一実施形態に係る疑似餌としてのエギ２が示された正面図である。図１において、左側がエギ２の前側であり、右側がエギ２の後側である。このエギ２は、ボディ４、ヒレ６、ラインアイ８、重錘１０、軸１２、前傘針１４及び後傘針１６を備えている。
【００１３】
ボディ４の形状は、エビに類似している。ボディ４は、木又は合成樹脂からなる。ボディ４の表面が着色されてもよい。ボディ４の表面に、模様が画かれてもよい。着色や模様は、イカに対するアピールに寄与する。ボディ４にクロスが巻かれ、このクロスが着色されてもよい。
【００１４】
ヒレ６は、合成樹脂等からなる。ヒレ６は、毛羽状である。ヒレ６は、ボディ４に、接着剤等の手段によって接合されている。水中において、ヒレ６は揺れ動く。この動きは、イカに対してアピールする。
【００１５】
ラインアイ８は、ボディ４の前端に位置する。ラインアイ８は、金属線が曲げられて形成されている。金属線の後端は、ボディ４に埋め込まれており、ボディ４に堅固に固定されている。このラインアイ８には、ラインが結ばれる。
【００１６】
重錘１０は、ボディ４の下方でかつ前方に位置している。重錘１０の一部は、ボディ４に埋設されている。この埋設により、重錘１０がボディ４に堅固に固定されている。重錘１０は、高比重な材料からなる。重錘１０は、典型的には、鉛又は鉛合金からなる。重錘１０が、タングステン又はタングステン合金からなってもよい。重錘１０により、エギ２の水中姿勢及び沈降速度が調節されうる。
【００１７】
軸１２は、ボディ４の後端から後方へと延びている。軸１２の一部はボディ４に埋設されている。この埋設により、軸１２がボディ４に堅固に固定されている。この軸１２に、前傘針１４及び後傘針１６が固定されている。
【００１８】
前傘針１４は、多数のフック１８からなる。これらフック１８は、軸１２の途中から前方に向かって延びている。多数のフック１８が、放射状に配列されている。フック１８は、先細り形状である。前傘針１４は、第一フック１８ａ及び第二フック１８ｂを含んでいる。
【００１９】
後傘針１６は、多数のフック１８からなる。フック１８は、軸１２の後端から前方に向かって延びている。多数の後針２６が、放射状に配列されている。フック１８は、先細り形状である。
【００２０】
図２は、図１のII−II線に沿った断面図である。図２から明らかなように、前傘針１４は４本の第一フック１８ａと８本の第二フック１８ｂとを備えている。４本の第一フック１８ａは、１つの円周上に並んでいる。換言すれば、４本の第一フック１８ａの、軸１２からの距離は、互いに等しい。８本の第二フック１８ｂは、１つの円周上に並んでいる。換言すれば、８本の第二フック１８ｂの、軸１２からの距離は、互いに等しい。
【００２１】
図３（ａ）は図１のエギ２の第一フック１８ａの一部が示された拡大図であり、図３（ｂ）は図１のエギ２の第二フック１８ｂの一部が示された拡大図である。図３に示されるように、第一フック１８ａは細い。第二フック１８ｂは、第一フック１８ａよりも太い。第一フック１８ａは、第二フック１８ｂよりも鋭利である。第二フック１８ｂは、第一フック１８ａよりも強度に優れる。第二フック１８ｂは、曲がりにくく、かつ折れにくい。
【００２２】
図３（ａ）において両矢印Ｌａで示されているのは、第一フック１８ａの先端２０ａの、軸１２からの距離である。図３（ｂ）において両矢印Ｌｂで示されているのは、第二フック１８ｂの先端２０ｂの、軸１２からの距離である。距離Ｌａは、距離Ｌｂよりも大きい。換言すれば、第一フック１８ａの先端２０ａは軸１２から遠く、第二フック１８ｂの先端２０ｂは軸１２に近い。距離Ｌａは、５ｍｍ以上２０ｍｍ以下が好ましい。距離Ｌｂは、２ｍｍ以上１５ｍｍ以下が好ましい。
【００２３】
ラインラインアイ８に結ばれたラインが引かれることで、エギ２は水中を泳ぐ。このエギ２を生きたベイトと勘違いしたイカは、エギ２の後方からエギ２に近づき、触腕を伸ばす。触腕でエギ２を捕らえたイカは、さらに触腕及び腕でエギ２を抱き込む。前述の通り、第一フック１８ａは細く、しかもその先端２０ａが軸１２から遠いので、この第一フック１８ａは触腕又は腕に容易に突き刺さる。第一フック１８ａが突き刺さった後、イカは触腕及び腕を動かす。この動作により、第二フック１８ｂも触腕又は腕に突き刺さる。イカはエギ２から逃れようとして激しく動くが、第二フック１８ｂが太いので、第二フック１８ｂの曲がり及び折れは生じない。しかも、第二フック１８ｂが太いので、イカの身切れも生じにくい。イカは、第二フック１８ｂからはずれることなく、釣り上げられる。このエギ２では、第一フック１８ａがフッキング率に寄与する。さらにこの疑似餌では、第二フック１８ｂがバラシを抑制する。このエギ２では、第一フック１８ａと第二フック１８ｂとの相乗効果により、高いランディング率が達成される。
【００２４】
高いフッキング率とバラシの抑制との両立の観点から、第一フック１８ａの太さＤａと第二フック１８ｂの太さＤｂとの比（Ｄａ／Ｄｂ）は０．１以上０．７以下が好ましく、０．２以上０．５以下がより好ましい。太さＤａは、先端から２ｍｍ離れた箇所で測定される。太さＤｂは、先端から２ｍｍ離れた箇所で測定される。
【００２５】
高いフッキング率とバラシの抑制との両立の観点から、第一フック１８ａの距離Ｌａと第二フック１８ｂの距離Ｌｂとの比（Ｌａ／Ｌｂ）は１．２以上３．０以下が好ましく、１．５以上２．５以下がより好ましい。
【００２６】
このエギ２では、前傘針１４において、２種のフック１８が用いられている。換言すれば、２種のフック１８が、周方向において並んでいる。用いられるフック１８の種類数は、３以上でもよい。このエギ２では、後傘針１６には１種のフック１８が用いられている。後傘針１６に、２種以上のフック１８が用いられてもよい。
【００２７】
高いフッキング率の観点から、１つの傘針１４、１６における第一フック１８ａの数は２本以上が好ましい。この数は、１６本以下が好ましい。バラシの抑制の観点から、１つの傘針１４、１６における第二フック１８ｂの数は２本以上が好ましい。この数は、１６本以下が好ましい。
【００２８】
図４は、本発明の他の実施形態に係る疑似餌としてのエギ２１の一部が示された断面図である。この図４には、軸２２及び前傘針２４の断面が示されている。図示されていないが、このエギ２１は、図１に示されたエギ２と同等のボディ、ヒレ、アイ、重錘及び後傘針を備えている。
【００２９】
前傘針２４は２本の第一フック２６ａと１０本の第二フック２６ｂとを備えている。２本の第一フック２６ａは、１つの円周上に並んでいる。換言すれば、２本の第一フック２６ａの、軸２２からの距離は、互いに等しい。１０本の第二フック２６ｂは、１つの円周上に並んでいる。換言すれば、８本の第二フック２６ｂの、軸２２からの距離は、互いに等しい。第一フック２６ａの形状は、図３（ａ）に示された第一フック１８ａの形状と同等である。第一フック２６ａは細く、かつその先端は軸２２から遠い。第一フック２６ａの先端は、鋭利である。第二フック２６ｂの形状は、図３（ｂ）に示された第二フック１８ｂの形状と同等である。第二フック２６ｂは太く、かつその先端は軸２２に近い。第二フック２６ｂは、強度に優れる。
【００３０】
このエギ２１でも、まず第一フック２６ａがイカに突き刺さる。第一フック２６ａは、フッキング率に寄与する。その後第二フック２６ｂが、イカに突き刺さる。この第二フック２６ｂにより、バラシが抑制される。このエギ２１では、第一フック２６ａと第二フック２６ｂとの相乗効果により、高いランディング率が達成される。
【００３１】
このエギ２１でも、２種のフック２６ａ、２６ｂが、周方向において並んでいる。高いフッキング率の観点から、１つの傘針２４における第一フック２６ａの数は２本以上が好ましい。この数は、１６本以下が好ましい。バラシの抑制の観点から、１つの傘針２４における第二フック２６ｂの数は２本以上が好ましい。この数は、１６本以下が好ましい。後傘針が、前傘針２４と同様の構成を備えてもよい。
【００３２】
図５は、本発明のさらに他の実施形態に係る疑似餌としてのエギ２８の一部が示された断面図である。この図５には、軸３０及び前傘針３１の断面が示されている。図示されていないが、このエギ２８は、図１に示されたエギ２と同等のボディ、ヒレ、アイ、重錘及び後傘針を備えている。
【００３３】
前傘針３１は４本の第一フック３２ａと８本の第二フック３２ｂとを備えている。これら１２本のフック３２ａ、３２ｂは、１つの円周上に並んでいる。換言すれば、第一フック３２ａの軸３０からの距離は、第二フック３２ｂのそれと同一である。第一フック３２ａは、細い。第一フック３２ａの先端は、鋭利である。第二フック３２ｂは、太い。第二フック３２ｂは、強度に優れる。
【００３４】
このエギ２８でも、まず細い第一フック３２ａがイカに突き刺さる。第一フック３２ａは、フッキング率に寄与する。その後第二フック３２ｂが、イカに突き刺さる。この第二フック３２ｂにより、バラシが抑制される。このエギ２８では、第一フック３２ａと第二フック３２ｂとの相乗効果により、高いランディング率が達成される。
【００３５】
このエギ２８でも、２種のフック３２ａ、３２ｂが、周方向において並んでいる。高いフッキング率の観点から、１つの傘針３１における第一フック３２ａの数は２本以上が好ましい。この数は、１６本以下が好ましい。バラシの抑制の観点から、１つの傘針３１における第二フック３２ｂの数は２本以上が好ましい。この数は、１６本以下が好ましい。後傘針が、前傘針３１と同様の構成を備えてもよい。
【００３６】
図６は、本発明のさらに他の実施形態に係る疑似餌としてのエギ３４の一部が示された断面図である。この図６には、軸３６及び前傘針３８の断面が示されている。図示されていないが、このエギ３４は、図１に示されたエギ２と同等のボディ、ヒレ、アイ、重錘及び後傘針を備えている。
【００３７】
前傘針３８は４本の第一フック４０ａと８本の第二フック４０ｂとを備えている。４本の第一フック４０ａは、１つの円周上に並んでいる。換言すれば、４本の第一フック４０ａの、軸３６からの距離は、互いに等しい。８本の第二フック４０ｂは、１つの円周上に並んでいる。換言すれば、８本の第二フック４０ｂの、軸３６からの距離は、互いに等しい。
【００３８】
図７（ａ）は図６のエギ３４の第一フック４０ａの一部が示された拡大図であり、図７（ｂ）は図６のエギ３４の第二フック４０ｂの一部が示された拡大図である。図６及び７に示されるように、第一フック４０ａの太さは、第二フック４０ｂの太さと同一である。第一フック４０ａ及び第二フック４０ｂは、十分な強度を備えている。第一フック４０ａ及び第二フック４０ｂは、曲がりにくく、かつ折れにくい。
【００３９】
図７（ａ）において両矢印Ｌａで示されているのは、第一フック４０ａの先端４２ａの、軸３６からの距離である。図７（ｂ）において両矢印Ｌｂで示されているのは、第二フック４０ｂの先端４０ｂの、軸３６からの距離である。距離Ｌａは、距離Ｌｂよりも大きい。換言すれば、第一フック４０ａの先端４０ａは軸３６から遠く、第二フック４０ｂの先端４０ｂは軸３６に近い。距離Ｌａは、５ｍｍ以上２０ｍｍ以下が好ましい。距離Ｌｂは、２ｍｍ以上１５ｍｍ以下が好ましい。
【００４０】
第一フック４０ａの先端４０ａは軸３６から遠いので、イカの触腕又は腕に掛かりやすい。このエギ３４では、第一フック４０ａがフッキング率に寄与する。第一フック４０ａが掛かった後、イカは触腕及び腕を動かす。この動作により、第二フック４０ｂも触腕又は腕に突き刺さる。イカはエギ３４から逃れようとして、図７中の左方向に動く。図７（ｂ）から明らかなように、第二フック４０ｂの先端４２ｂの近傍は、左右方向に延在している。延在方向は、イカが逃げようとする方向とほぼ一致している。イカがエギ３４から逃れようと動いたとき、この第二フック４０ｂは深くイカに突き刺さる。この第二フック４０ｂは、バラシを抑制する。このエギ３４では、第一フック４０ａと第二フック４０ｂとの相乗効果により、高いランディング率が達成される。
【００４１】
このエギ３４でも、２種のフック４０ａ、４０ｂが、周方向において並んでいる。高いフッキング率の観点から、１つの傘針３８における第一フック４０ａの数は２本以上が好ましい。この数は、１６本以下が好ましい。バラシの抑制の観点から、１つの傘針３８における第二フック４０ｂの数は２本以上が好ましい。この数は、１６本以下が好ましい。後傘針が、前傘針３８と同様の構成を備えてもよい。
【００４２】
図８は、本発明のさらに他の実施形態に係る疑似餌としてのエギ４４の一部が示された断面図である。この図８には、軸４６及び前傘針４８の断面が示されている。図示されていないが、このエギ４４は、図１に示されたエギ２と同等のボディ、ヒレ、アイ、重錘及び後傘針を備えている。
【００４３】
前傘針４８は４本の第一フック５０ａと８本の第二フック５０ｂとを備えている。これら１２本のフック５０ａ、５０ｂは、１つの円周上に並んでいる。換言すれば、第一フック５０ａの軸４６からの距離は、第二フック５０ｂのそれと同一である。
【００４４】
図９（ａ）は図８のエギ４４の第一フック５０ａの一部が示された拡大図であり、図９（ｂ）は図８のエギ４４の第二フック５０ｂの一部が示された拡大図である。図９に示されるように、第一フック５０ａは長く、第二フック５０ｂは短い。図８及び９に示されるように、第一フック５０ａは細く、第二フック５０ｂは太い。第一フック５０ａの先端は、鋭利である。太くてかつ短い第二フック５０ｂは、強度に優れる。
【００４５】
図９（ａ）において両矢印Ｐａで示されているのは、第一フック５０ａの先端５２ａの、ボディ５４からの距離である。図９（ｂ）において両矢印Ｐｂで示されているのは、第二フック５０ｂの先端５２ｂの、ボディ５４からの距離である。距離Ｐａは、距離Ｐｂよりも小さい。換言すれば、第一フック５０ａの先端５２ａは、第二フック５０ｂの先端５２ｂよりも前側にある。
【００４６】
第一フック５０ａの先端５２ａは鋭く、かつ前側にあるので、この第一フック５０ａはイカの触腕又は腕に掛かりやすい。このエギ４４では、第一フック５０ａがフッキング率に寄与する。第一フック５０ａが掛かった後、イカは触腕及び腕を動かす。この動作により、第二フック５０ｂも触腕又は腕に突き刺さる。第二フック５０ｂは強度に優れるので、イカが動いても曲がりにくく、かつ折れにくい。しかも、第二フック５０ｂは太いので、イカの身切れが生じにくい。この第二フック５０ｂは、バラシを抑制する。このエギ４４では、第一フック５０ａと第二フック５０ｂとの相乗効果により、高いランディング率が達成される。第一フック５０ａの太さが、第二フック５０ｂの太さと同一であってもよい。
【００４７】
高いフッキング率とバラシの抑制との両立の観点から、距離Ｐａと距離Ｐｂとの差（Ｐｂ−Ｐａ）は３ｍｍ以上が好ましく、５ｍｍ以上がより好ましい。差（Ｐｂ−Ｐａ）は２０ｍｍ以下が好ましい。
【００４８】
このエギ４４でも、２種のフック５０ａ、５０ｂが、周方向において並んでいる。高いフッキング率の観点から、１つの傘針における第一フック５０ａの数は２本以上が好ましい。この数は、１６本以下が好ましい。バラシの抑制の観点から、１つの傘針における第二フック５０ｂの数は２本以上が好ましい。この数は、１６本以下が好ましい。後傘針が、前傘針４８と同様の構成を備えてもよい。
【産業上の利用可能性】
【００４９】
２種以上のフックを備えた傘針は、タコベイト、スッテ等の種々の疑似餌に採用されうる。
【図面の簡単な説明】
【００５０】
【図１】図１は、本発明の一実施形態に係る疑似餌としてのエギが示された正面図である。
【図２】図２は、図１のII−II線に沿った断面図である。
【図３】図３（ａ）は図１のエギの第一フックの一部が示された拡大図であり、図３（ｂ）は図１のエギの第二フックの一部が示された拡大図である。
【図４】図４は、本発明の他の実施形態に係る疑似餌としてのエギの一部が示された断面図である。
【図５】図５は、本発明のさらに他の実施形態に係る疑似餌としてのエギの一部が示された断面図である。
【図６】図６は、本発明のさらに他の実施形態に係る疑似餌としてのエギの一部が示された断面図である。
【図７】図７（ａ）は図６のエギの第一フックの一部が示された拡大図であり、図７（ｂ）は図６のエギの第二フックの一部が示された拡大図である。
【図８】図８は、本発明のさらに他の実施形態に係る疑似餌としてのエギの一部が示された断面図である。
【図９】図９（ａ）は図８のエギの第一フックの一部が示された拡大図であり、図９（ｂ）は図８のエギの第二フックの一部が示された拡大図である。
【符号の説明】
【００５１】
２、２１、２８、３４、４４・・・エギ
４、５４・・・ボディ
６・・・ヒレ
８・・・ラインアイ
１０・・・重錘
１２、２２、３０、３６、４６・・・軸
１４、２４、３１、３８、４８・・・前傘針
１６・・・後傘針
１８・・・フック
１８ａ、２６ａ、３２ａ、４０ａ、５０ａ・・・第一フック
１８ｂ、２６ｂ、３２ｂ、４０ｂ、５０ｂ・・・第二フック
２０ａ、２０ｂ、４２ａ、４２ｂ、５２ａ、５２ｂ・・・先端
【図１】
2008113589.tif 000003
【図２】
2008113589.tif 000004
【図３】
2008113589.tif 000005
【図４】
2008113589.tif 000006
【図５】
2008113589.tif 000007
【図６】
2008113589.tif 000008
【図７】
2008113589.tif 000009
【図８】
2008113589.tif 000010
【図９】
2008113589.tif 000011